(57)【特許請求の範囲】
【請求項１】
照明器具取付用のボルトが埋め込まれ、かつ前記照明器具取付用のボルトの上部が埋め込まれることなく上方に突出する第１の地盤への固定と、地中に配線されている地中配線の地表上への引き出しに使用される埋込ボックスが埋め込まれている第２の地盤への固定と、の双方に対応することが可能であり、かつ前記第１の地盤または前記第２の地盤上に据え置かれて取り付けられる照明器具であって、
プレート状の基台を備えると共に、前記基台に形成される、前記第１の地盤における前記照明器具取付用のボルトを挿通させることが可能なボルト孔と、前記第２の地盤における前記地中配線の、地表上に引き出されている部分を貫通させることが可能な電線貫通孔と、前記基台の中央において上方に突出するボルトと、を有し、前記第１の地盤に取り付けられる場合には、前記第１の地盤に埋め込まれている前記照明器具取付用のボルトの上部が前記ボルト孔に挿通されて固定され、前記第２の地盤に取り付けられる場合には、前記ボルト孔を介して取付ねじが挿入されて、前記取付ねじによって固定される据置用取付具と、
光源を備える灯具と、
内部空間を有する箱体であり、前記灯具を支持すると共に、前記第１の地盤上において露出している露出配線を前記内部空間に取り込むことが可能な第１の部分と、前記据置用取付具の前記電線貫通孔に貫通された、前記第２の地盤における前記地中配線の前記地表上に引き出されている部分を前記内部空間に取り込むことが可能な第２の部分と、を備え、かつ前記据置用取付具の前記基台の中央において上方に突出するボルトによって前記据置用取付具に固定される接続ボックスと、
を有する照明器具。
【請求項２】
請求項１に記載の照明器具であって、
前記据置用取付具が前記第２の地盤に取り付けられる場合には、前記第１の部分は、蓋により密閉される照明器具。
【請求項３】
請求項１または請求項２に記載の照明器具であって、
前記接続ボックスにおける前記第１の部分は、ケーブルグランドである照明器具。
【請求項４】
請求項１ないし請求項３のうちのいずれか１項に記載の照明器具であって、
前記接続ボックスの上面から支持部材が上方に突出して設けられ、前記支持部材の上端のヒンジ部を介して前記灯具が回動可能に支持される照明器具。
【請求項５】
請求項１ないし請求項４のうちのいずれか１項に記載の照明器具であって、
前記据置用取付具が前記第２の地盤に取り付けられる場合において、前記据置用取付具は、前記取付ねじが、前記第２の地盤に埋め込まれている前記埋込ボックスの上部に設けられ、かつ前記第２の地盤上に露出する取付板に締結されることにより固定される照明器具。
【発明の詳細な説明】
【技術分野】
【０００１】
本発明は、地面に据置可能な照明器具に関するものである。
【背景技術】
【０００２】
従来、天井から吊り下げられる照明器具は、天井に取り付けられるフランジに支柱を介して支持される（例えば、特許文献１参照）。
そして、地面等に照明器具を設置する際には、地面に露出配線していた。
図４に示すように、従来の照明器具１００における取付具１０１は、地中に打ち込むスパイク部品１０２と、スパイク部品１０２の上部に取り付ける接続ボックス１０３を有する。接続ボックス１０３は、電源線を取り込むケーブルグランド１０４を有する。接続ボックス１０３には、光源（図示省略）を収容する灯具１０５が、水平方向および上下方向に回転可能に取り付けられている。
従って、地面に配線された電源線（図示省略）は、ケーブルグランド１０４から接続ボックス１０３の内部に引き込まれて、接続ボックス１０３に取り付けられている灯具１０５に配線される。
【先行技術文献】
【特許文献】
【０００３】
【特許文献１】実開昭６３−１２１０５号公報（第１図、第２図）
【発明の概要】
【発明が解決しようとする課題】
【０００４】
しかしながら、従来の取付具１０１を用いた照明器具１００においては、スパイク部品１０２を地面に突き刺して使用するものなので、コンクリート等の人工地盤への使用は不可能であるという問題があった。
【０００５】
本発明は、従来の問題を解決するためになされたもので、コンクリート等の人工地盤にも取り付けできる照明器具を提供することを目的とする。
【課題を解決するための手段】
【０００６】
本発明の照明器具は、照明器具取付用のボルトが埋め込まれ、かつ前記照明器具取付用のボルトの上部が埋め込まれることなく上方に突出する第１の地盤への固定と、地中に配線されている地中配線の地表上への引き出しに使用される埋込ボックスが埋め込まれている第２の地盤への固定と、の双方に対応することが可能であり、かつ前記第１の地盤または前記第２の地盤上に据え置かれて取り付けられる照明器具であって、プレート状の基台を備えると共に、前記基台に形成される、前記第１の地盤における前記照明器具取付用のボルトを挿通させることが可能なボルト孔と、前記第２の地盤における前記地中配線の、地表上に引き出されている部分を貫通させることが可能な電線貫通孔と、前記基台の中央において上方に突出するボルトと、を有し、前記第１の地盤に取り付けられる場合には、前記第１の地盤に埋め込まれている前記照明器具取付用のボルトの上部が前記ボルト孔に挿通されて固定され、前記第２の地盤に取り付けられる場合には、前記ボルト孔を介して取付ねじが挿入されて、前記取付ねじによって固定される据置用取付具と、光源を備える灯具と、内部空間を有する箱体であり、前記灯具を支持すると共に、前記第１の地盤上において露出している露出配線を前記内部空間に取り込むことが可能な第１の部分と、前記据置用取付具の前記電線貫通孔に貫通された、前記第２の地盤における前記地中配線の前記地表上に引き出されている部分を前記内部空間に取り込むことが可能な第２の部分と、を備え、かつ前記据置用取付具の前記基台の中央において上方に突出するボルトによって前記据置用取付具に固定される接続ボックスと、を有するものである。
【０００７】
また、本発明の照明器具は、前記据置用取付具が前記第２の地盤に取り付けられる場合には、前記第１の部分は、蓋により密閉されるものである。
【０００８】
また、本発明の照明器具は、前記接続ボックスにおける前記第１の部分は、ケーブルグランドであるものである。
【０００９】
また、本発明の照明器具は、前記接続ボックスの上面から支持部材が上方に突出して設けられ、前記支持部材の上端のヒンジ部を介して前記灯具が回動可能に支持されるものである。
【００１０】
さらに、本発明の照明器具は、前記据置用取付具が前記第２の地盤に取り付けられる場合において、前記据置用取付具は、前記取付ねじが、前記第２の地盤に埋め込まれている前記埋込ボックスの上部に設けられ、かつ前記第２の地盤上に露出する取付板に締結されることにより固定されるものである。 
【発明の効果】
【００１１】
本発明は、プレート状の基台の中央に、上方に突出するボルト部材を設けたので、基台を取付箇所に据え置いて、ボルト部材に照明器具を取り付けることにより、コンクリート等の人工地盤に取り付けることができるという効果を有する据置用取付具および照明器具を提供できる。
【図面の簡単な説明】
【００１２】
【図１】本発明に係る実施形態の据置用取付具の斜視図
【図２】本発明に係る実施形態の照明器具の露出配線の場合の断面図
【図３】本発明に係る実施形態の照明器具の地中配線の場合の断面図
【図４】従来の取付具および照明器具の分解斜視図
【発明を実施するための形態】
【００１３】
以下、本発明に係る実施形態の据置用取付具および照明器具について、図面を用いて説明する。
図１に示すように、本発明に係る実施形態の据置用取付具１０は、円形プレート状の金属板からなる基台２０を有する。基台２０の中央にはボルト孔（図示省略）が設けられており、基台２０の下面側からボルト孔を貫通して上方に突出するボルト部材２１が取り付けられる。ボルト部材２１は、基台２０の上面２０ａ側からナット２１ａが締結されて固定されている。
ボルト部材２１には、後述する灯具４０を取り付けるための接続ボックス２８が取り付けられる（図２および図３参照）。
なお、基台２０は、円形以外の外形を有するプレートでも可能である。
【００１４】
基台２０には、ボルト部材２１を中心として、所定のピッチでボルト孔２３が設けられている。ボルト孔２３は、コンクリート等の人工地盤２２に埋め込まれているアンカーボルト２４（図２および図３参照）に取り付けるためのものである。
従ってボルト孔２３のピッチは、アンカーボルト２４のピッチに合わせる。なお、ここでは、２個のボルト孔２３を設けたが、３個以上のボルト孔２３を設けることも可能である。
【００１５】
基台２０には、電線貫通孔２５が設けられている。電線貫通孔２５はボルト部材２１の近傍に例えば一対設けられており、地中に配線されている後述する入力電源線２６および送り電源線２７（図２および図３参照）を通して、基台２０の上側に引き出すための孔である。
なお、電線貫通孔２５として、大きな１個の孔とすることもできる。あるいは、３個以上設けて、適宜、便利なものを選んで使用することもできる。
【００１６】
次に、本発明に係る実施形態の照明器具について説明する。
図２には、人工地盤２２の表面に露出配線した場合の照明器具１１が示されている。コンクリート等の人工地盤２２には、所定の位置に複数本（ここでは２本）のアンカーボルト２４が埋め込まれている。アンカーボルト２４のピッチは基台２０のボルト孔２３のピッチと一致しており、上部のねじ部２４ａが人工地盤２２から上方に突出して固定されている。
従って、ねじ部２４ａを基台２０のボルト孔２３に挿通して、ねじ部２４ａにナット２４ｂを締め付けることにより、基台２０をアンカーボルト２４に固定して、人工地盤２２の表面に取り付ける。
【００１７】
接続ボックス２８は、内部空間を有する箱状を呈しており、接続ボックス２８は、ボルト部材２１によって基台２０の上面２０ａに取り付けられる。接続ボックス２８の側面には複数個（ここでは、例えば２個）のケーブルグランド２８ａ、２８ｂが設けられている。一方のケーブルグランド２８ａを介して電力の供給を受ける入力電源線２６が接続ボックス２８内部に引き込まれており、他方のケーブルグランド２８ｂを介して送り電源線２７が接続ボックス２８から引き出されている。
【００１８】
接続ボックス２８の上面から支持部材２９が上方に突出して設けられており、支持部材２９の上端にヒンジ部２９ａを有する。ヒンジ部２９ａには、灯具４０が上下方向（図２中矢印Ａ参照）に回転可能に取り付けられる。
なお、灯具４０には、図示はしないが、例えばＬＥＤ等の光源が収容されている。
【００１９】
図３には、人工地盤２２に地中配線した場合の照明器具１２が示されている。人工地盤２２には埋込ボックス３１が埋められており、埋込ボックス３１には人工地盤２２に露出する取付板３２が設けられている。取付板３２には、基台２０に設けられているボルト孔２３と同じピッチでねじ孔３２ａが設けられている。
従って、取付ねじ３３を基台２０のボルト孔２３に通し、取付板３２のねじ孔３２ａに締め付けることにより、基台２０を埋込ボックス３１に取り付ける。
なお、取付板３２に、所定のピッチでボルトを上向きに突出して取り付けておき、基台２０のボルト孔２３に通してナットで締め付けて取り付けることもできる。
【００２０】
取付板３２には、基台２０に設けられている電線貫通孔２５に対応して、あるいは含むように、電線用の開口部（図示省略）が設けられている。この開口部を介して、地中に配線されて埋込ボックス３１に取り込まれた入力電源線２６および送り電源線２７を、接続ボックス２８に配線する。
従って、ケーブルグランド２８ａ、２８ｂは使用されないので、水等が侵入しないように、蓋２８ｃ、２８ｄで密閉されている。
【００２１】
なお、灯具４０の取り付けは、図２において説明した露出配線の照明器具１１と同様なので、共通する符号を付して、重複する説明を省略する。
【００２２】
以上、説明した本発明に係る実施形態の据置用取付具１０によれば、プレート状の基台２０の中央に、上方に突出するボルト部材２１を設けた。
このため、基台２０を取付箇所に据え置いて、ボルト部材２１に取り付けることにより、コンクリート等の人工地盤２２に照明器具１１、１２を取り付けることができる。
【００２３】
また、基台２０に、ボルト部材２１を中心として所定のピッチでボルト孔２３を設けたので、コンクリート等の人工地盤２２に予め取り付けられているアンカーボルト２４に強固に取り付けることができる。
【００２４】
また、基台２０に電線貫通孔２５を設けたので、コンクリート等の人工地盤２２に地中配線されている入力電源線２６および送り電源線２７を、容易に基台２０の上側に取り出すことができる。
【００２５】
ボルト部材２１に、照明器具１１、１２用の接続ボックス２８を取り付けたので、据置用取付具１０に容易に照明器具１１、１２を取り付けることができる。
【００２６】
さらに、本発明に係る実施形態の照明器具１１、１２では、据置用取付具１０に灯具４０を取り付けて照明器具１１、１２を形成したので、照明器具１１、１２をコンクリート等の人工地盤２２に容易かつ強固に取り付けることができる。
また、据置用取付具１０は、露出配線および地中配線の両方に対応できるので、急な施工方法の変更にも対応できる。
【００２７】
なお、本発明の据置用取付具および照明器具は、前述した実施形態に限定されるものでなく、適宜な変形、改良等が可能である。
【符号の説明】
【００２８】
１０  据置用取付具
１１、１２  照明器具
２０  基台
２１  ボルト部材
２３  ボルト孔
２５  電線貫通孔
２８  接続ボックス
４０  灯具
【図１】
0005906385.tif 000002
【図２】
0005906385.tif 000003
【図３】
0005906385.tif 000004
【図４】
0005906385.tif 000005